(57)【要約】  本発明は、ハウジング（１２）内へ装入可能であり半径方向へオイルが貫流可能なフィルタ要素（２０）用の収容空間（１８）を備える上記ハウジングと、オイル入口（３４）及びオイル出口（３２）と、収容空間内に存在していてフィルタ要素を支持する支持管（２２）とを備える、オイルフィルタ配置体に関する。本発明は、支持管が収容空間内に装入されており、フィルタ要素の交換時に支持管がハウジング内に留まる様にこの支持管がハウジングに固定されている、ことを特徴としている。
2009506246.tif 000002
【特許請求の範囲】
【請求項１】
ハウジング（１２）内へ装入可能であり半径方向へオイルが貫流可能なフィルタ要素（２０）用の収容空間（１８）を備える前記ハウジングと、前記フィルタ要素（２０）が装入されている場合にはこのフィルタ要素（２０）を支持する支持管（２２、１０２）とを備える、オイルフィルタ配置体であって、前記支持管（２２、１０２）が前記収容空間（１８）内に装入されており、前記フィルタ要素（２０）の交換時に前記支持管が前記ハウジング（１２）内に留まる様にこの支持管が前記ハウジング（１２）に固定されていることを特徴とする、オイルフィルタ配置体（１０、１００）。
【請求項２】
前記支持管（２２、１０２）が、前記ハウジング（１２）に、ラッチ固定されており、ねじ固定されており、並びに／またはバヨネット式に及び／もしくは分離不能に固定されていることを特徴とする、請求項１に記載のオイルフィルタ配置体（１０、１００）。
【請求項３】
前記ハウジング（１２）が前記収容空間の底（２６）の領域に固定部（３６）を備えることと、前記支持管（２２、１０２）のうちの前記収容空間（１８）の前記底（２６）側が前記固定部（３６）に対応する固定領域（２８）を備えることとを特徴とする、請求項１、２または３に記載のオイルフィルタ配置体（１０、１００）。
【請求項４】
前記固定部（３６）または前記固定領域（２８）に、接合ほぞ（３８、１１２）またはこの接合ほぞ（３８、１１２）に対応するほぞ穴（４０、１０６）が備えられていることを特徴とする、請求項３に記載のオイルフィルタ配置体（１０、１００）。
【請求項５】
前記収容空間（１８）及び／または前記支持管（２２、１０２）の中心長軸（４１）の周囲における前記収容空間（１８）の前記底（２６）に、前記接合ほぞ（３８、１１２）が配置されていることを特徴とする、請求項４に記載のオイルフィルタ配置体（１０、１００）。
【請求項６】
前記接合ほぞ（３８、１１２）が鋲ほぞとして特に熱鋲ほぞとして形成されていることを特徴とする、請求項４または５に記載のオイルフィルタ配置体（１０、１００）。
【請求項７】
前記接合ほぞ（３８、１１２）がラッチほぞとして形成されていることを特徴とする、請求項４または５に記載のオイルフィルタ配置体（１０、１００）。
【請求項８】
前記固定領域を捕える固定ボルト用のねじ山を前記固定部が備えていることを特徴とする、請求項３、４または５に記載のオイルフィルタ配置体（１０、１００）。
【請求項９】
固定ボルト用の雌ねじまたは雄ねじを前記接合ほぞが備えていることを特徴とする、請求項４、５及び８の少なくとも何れか一項に記載のオイルフィルタ配置体（１０、１００）。
【請求項１０】
軸方向及び／または半径方向へ延びるブリッジとして前記ハウジングの前記固定部（３６）が形成されており、前記ブリッジのうちの前記フィルタ要素側の上面に夫々少なくとも一つの接合ほぞ（３８、１１２）が配置されていることを特徴とする、請求項４〜９の何れか一項に記載のオイルフィルタ配置体（１０、１００）。
【請求項１１】
前記支持管（２２、１０２）の前記固定領域（２８）が、半径外側方向へ突出している脚部として、または半径外側方向へ突出しており且つ少なくとも一部で周囲を取り囲んでいるカラーとして、形成されていることを特徴とする、請求項３〜１０の何れか一項に記載のオイルフィルタ配置体（１０、１００）。
【請求項１２】
前記収容空間（１８）が閉鎖されている場合に占められる運転位置から前記収容空間（１８）が開放されている場合に占めることのできる排出位置へ軸方向に前記支持管（１０２）が移動可能であり、その際に前記排出位置ではオイルが前記収容空間（１８）から流出することができる様に、前記接合ほぞ（１１２）が前記固定領域（１０４）内へ嵌まり込むことを特徴とする、請求項４〜１１の少なくとも何れか一項に記載のオイルフィルタ配置体（１００）。
【請求項１３】
前記接合ほぞ（１１２）がその自由端の領域にマッシュルーム状の拡大部（１１４）を備えており、その際に前記収容空間（１８）の前記底（２６）から前記拡大部（１１４）の下縁までの距離が軸方向における前記固定領域（１０４）の厚さよりも少なくとも僅かに大きいことを特徴とする、請求項１２に記載のオイルフィルタ配置体（１００）。
【請求項１４】
前記収容空間（１８）の前記底（２６）と前記固定領域との間に、前記支持管（１０２）を前記底から離れる方向へ押すばね要素（１１６）が備えられていることを特徴とする、請求項１２または１３に記載のオイルフィルタ配置体（１００）。
【請求項１５】
運転位置では、未濾過オイルが前記支持管（１０２）を経て前記オイル出口（３２）内へ流れ込むことができず、且つ排出位置では、前記支持管（１０２）に備えられている排出孔（１１８）が前記収容空間（１８）に対応すると共に特に未濾過オイルが前記排出孔（１１８）を経て前記オイル出口（３２）内へ流れ込むことができる様に、前記支持管（１０２）が前記フィルタ要素（２０）とは反対側でオイル出口（３２）内へ嵌まり込んでいることを特徴とする、請求項１１、１２または１３に記載のオイルフィルタ配置体（１００）。
【請求項１６】
運転位置では、前記フィルタ要素（２０）を貫流した濾過済み清浄オイルが、前記オイル出口（３２）を経て前記収容空間から流出することを特徴とする、請求項１１〜１４の少なくとも何れか一項に記載のオイルフィルタ配置体（１００）。
【請求項１７】
前記収容空間（１８）の前記底（２６）の領域で、半径方向では閉鎖されており前記支持管（２２）に対して半径方向に距離を置かれている滞留管（３０）の周囲を前記支持管（２２）が取り囲んでいることを特徴とする、請求項１〜１５の何れか一項に記載のオイルフィルタ配置体（１０）。
【発明の詳細な説明】
【技術分野】
【０００１】
本発明は、ハウジング内へ装入可能であり半径方向へオイルが貫流可能なフィルタ要素用の収容空間を備える上記ハウジングと、フィルタ要素が装入されている場合にはこのフィルタ要素を支持する支持管とを備える、オイルフィルタ配置体に関する。
【背景技術】
【０００２】
この様なオイルフィルタ配置体は、多様なやり方で知られている。従って、例えば、軸方向へ貫流可能な支持管が、収容空間を閉鎖するキャップに配置されている、オイルフィルタ配置体が知られている。この様な実施形態は、例えばドイツ国特許出願公開第１０２５９８８４号明細書から既に知られている。
【特許文献１】ドイツ国特許出願公開第１０２５９８８４号明細書
【０００３】
キャップに支持管が配置されていると比較的手間がかかり、これは、その場合にはフィルタ要素を交換する際にキャップを支持管ごと取り外さなければならないからである。そのうえ、このフィルタ要素を支持管から取り外さなければならない。
【発明の開示】
【発明が解決しようとする課題】
【０００４】
本発明の根底には、比較的簡易な構造を備えており且つ支持管の確実に作動する配置が保証されているオイルフィルタ配置体を提供するという課題がある。
【課題を解決するための手段】
【０００５】
この課題は、支持管が収容空間内に装入されており、フィルタ要素の交換時に支持管がハウジング内に留まる様にこの支持管がハウジングに固定されている、最初に記述された種類のオイルフィルタ配置体によって解決される。これによって、特にオイルフィルタ配置体を製造するときに、非常に大きな利点が得られる。ハウジング自体は公知のやり方に従って製造することができる。特に、ハウジングを合成物質で製造することが考えられる。本発明によると、フレーム状に形成されている支持管を、ハウジングとは別個に製造してハウジング内へ装入することができる。本発明によると、支持管をハウジングに最後に固定する。これによって、支持管の確実な配置が保証され、それと同時にフィルタ要素を支持管上へ伸ばすかまたは支持管から取り外すことができる。フィルタ要素を交換する際には支持管がハウジング内に留まり、これによって総ての取り扱いが簡易化される。
【０００６】
その際、特に支持管をハウジングに、ラッチ固定し、ねじ固定し、並びに／またはバヨネット式に及び／もしくは分離不能に固定することができる。ラッチ固定の場合には、対応するラッチ固定手段を備えていなければならない。ねじ固定の場合には、対応するねじ山及び／またはボルトを備えていなければならない。バヨネット式固定の場合には、支持管は、まずその長軸に沿って収容空間内へ挿入され、次にその長軸の回りで捩じられて、対応して備えられているべき後隔離部で固定される。
【０００７】
本発明の一つの発展によると、ハウジングが収容空間の底の領域に固定部を備えることと、支持管のうちの収容空間の底側が固定部に対応する固定領域を備えることとを、予定することができる。特に支持管の中心長軸の周囲に配置することのできる固定部を収容空間の底の領域に備えることによって、フィルタ要素と支持管との半径方向貫流可能性を損なうことなく支持管の確実な配置を達成することができる。
【０００８】
本発明によると、これらの固定部または固定領域に、接合ほぞまたはこの接合ほぞに対応するほぞ穴を備えることを、更に予定することができる。これらの接合ほぞとそれに対応するほぞ穴とによって、ハウジングに対する支持管の高耐久性で且つ分離不能な配置が簡易なやり方で達成される。
【０００９】
その際、収容空間または支持管の中心長軸の周囲における収容空間の底に、接合ほぞを分散配置することができれば、有利である。特に、付属しており接合ほぞに対応している支持管側のほぞ穴内へ嵌まり込む二本、三本または四本の接合ほぞを備えることができる。支持管または収容空間の中心長軸の回りに接合ほぞまたはほぞ穴を配置すれば、支持管内に存在するオイルが、上記の中心長軸に沿って、この領域に備えられているオイル出口内へ流れることができる、という利点がある。従って、その場合には、ほぞまたはほぞ穴が支持管からのオイルの流出を妨げない。その際、個々の接合ほぞを夫々隣接する接合ほぞと等距離に配置できることが、有利である。
【００１０】
更に、その際、接合ほぞを例えば鋲ほぞとして特に溶接鋲ほぞとして形成することができる。その場合には、支持管を装入した後に、ハウジングとの支持管の分離不能な接合が生じる様に鋲ほぞを鋲留めすることができる。特にその場合には、もしハウジング及び支持管が合成物質製であれば、熱鋲留めによって分離不能な接合を作り出すことが考えられる。
【００１１】
ハウジングへの支持管の分離不能な接合を生じるのではなくてほぞ穴をバヨネット式に形成する様に、接合ほぞを溶接鋲ほぞまたは熱鋲ほぞとして形成することも、考えられる。その場合には、例えば、接合ほぞがほぞ穴内へ嵌まり込む様に、支持管を軸方向に収容空間内へ装入することができる。また別の措置では、接合ほぞの自由端を熱鋲留めすることができる。その場合には、後の時点に支持管を再び収容空間から取り出すのであれば、ほぞ穴のうちで熱鋲の頭の直径よりも大きな内法横断面を備える領域に鋲の頭が達するまで、支持管をその中心長軸の回りで捩じることができる。そうすれば、収容空間から軸方向へ支持管を取り出すことができる。接合ほぞを熱鋲留めする代わりに、頭が拡大部になっているボルトの形状の接合ほぞを使用することもできる。
【００１２】
但し、本発明によると、接合ほぞをラッチほぞとして形成することもできる。ラッチ固定によって、そして特にほぞ穴によるラッチほぞの分離不能な後ラッチ固定によって、本発明によって支持管をハウジングに固定することもできる。
【００１３】
本発明によると、ボルト接合によっても支持管をハウジングに固定することができる。
【００１４】
次に、軸方向及び／または半径方向へ延びるブリッジとしてハウジングの固定部を形成し、ブリッジのうちのフィルタ要素側の上面に夫々少なくとも一つの接合ほぞを配置すれば、本発明の好ましい実施形態が生じる。その際、これらのブリッジは、収容空間の底から軸方向上方へ延びて、支持管用の設置部になっていることが、有利である。従って、支持管を装入する際に、この支持管はブリッジの上面に密着する。鋲ほぞを備えることによって、ブリッジと支持管との間の鋲接合を実現することができる。その際、鋲留めを軸方向上方から行えることが有利である。その際、ブリッジは、半径方向における少なくとも一部で収容空間の底の上方へ延びることができる。これによって、ハウジングの剛性を高めることができる。
【００１５】
支持管の確実に作動する固定を可能にするために、固定領域を、半径外側方向へ突出している脚部として、または半径外側方向へ突出しており且つ少なくとも一部で周囲を取り囲んでいるカラーとして、形成できることが、有利である。収容空間の底の領域でブリッジが接合ほぞを備える場合のために、接合ほぞに対応するほぞ穴が脚部またはカラーに備えられている。脚部またはカラーを備えることによって、支持管に横方向へ作用する力または支持管に装着されているフィルタ要素に作用する力を、ハウジング内へ好都合にそらすことができる。それに加えて、この様な脚部またはブリッジを備えることによって、支持管を収容空間内における組立てのために軸方向に収容空間内へ装入できる、ということを達成することができる。
【００１６】
本発明のまた別の有利な形態によると、収容空間が閉鎖されている場合に占められる運転位置から収容空間が開放されている場合に占めることのできる排出位置へ軸方向に支持管が移動可能であり、その際に排出位置では特に未濾過オイルが収容空間から流出することができる様に、接合ほぞが接合領域内へ嵌まり込むことを、予定することができる。これによって、フィルタ要素の交換の際に、接合ほぞが、付属固定領域と協働して支持管の取り出しを防止するが、それにも拘らず軸方向における支持管のある程度の可動性を可能にすることが、達成される。従って、支持管を排出位置へ移動させることができ、この排出位置においては、フィルタ要素が収容空間から完全に取り外される前に、収容空間内に存在するオイルが流出可能である。それによって、収容空間を開放した後で且つ支持管を排出位置へ移動させた後に、大きなオイル損失なしにフィルタ要素の取り出しが可能になるまで、収容空間内に存在するオイルが収容空間から流出することを待つことができる。
【００１７】
そのために、この接合ほぞがその自由端の領域にマッシュルーム状の例えば熱鋲の頭状の拡大部を備えることができ、その際に収容空間の底から拡大部の下縁までの距離が軸方向における固定領域の厚さよりも少なくとも僅かに大きい。これによって、ある程度のあそびが達成され、このあそびが軸方向における支持管の限定された移動を可能にする。
【００１８】
収容空間の底と固定領域との間に、支持管を底から離れる方向へ押すばね要素を備えられることが、有利である。これによって、収容空間を開放する際に、例えば収容空間を閉鎖しているキャップを捩じって取り外す際に、底から離れる方向への支持管の自動的な移動が達成される。
【００１９】
その際、運転位置では、未濾過オイルが支持管を経てオイル出口内へ流れ込むことができず、且つ排出位置では、支持管に備えられている排出孔が収容空間に対応すると共に未濾過オイルが排出孔を経てオイル出口内へ流れ込むことができる様に、支持管がフィルタ要素とは反対側でオイル出口内へ嵌まり込んでいる。従って、運転位置では排出孔が収容空間に対応しておらず、支持管が排出位置へ移動して初めて、オイルが排出孔を経て流出することができる様に排出孔が収容空間の領域に達する。収容空間内の排出位置にある排出孔は収容空間の底の領域に対応するので、収容空間内に存在するオイルの大部分が排出孔とオイル出口とを経て流出可能であることが保証される。
【００２０】
運転位置では、フィルタ要素を貫流して濾過された清浄オイルがオイル出口を経てオイルフィルタ配置体から流出することが、有利である。従って、オイル出口は二つの機能を有しており、運転位置では清浄オイルがオイル出口を経てオイルフィルタ配置体から流れ、排出位置では特に濾過されていない未処理オイルがオイル出口を経てオイルフィルタ配置体から流れる。本発明の一つの有利な実施形態では、収容空間の底の領域で、半径方向では閉鎖されており支持管に対して半径方向に距離を置かれている滞留管の周囲を支持管が取り囲むことを、予定することができる。支持管を装入する際に、この支持管を例えば滞留管に装着することができる。その場合には、滞留管は嵌合支援として用いられる。
【００２１】
本発明の一つの発展によると、支持管のうちで収容空間の底とは反対側の自由部に超過圧力迂回弁を配置することを、更に予定することができる。この様な弁は、例えばフィルタ要素が汚染で塞がったために限界圧力を超えたときに開く。
【００２２】
本発明によると、収容空間の底に排出開口を備え且つこの排出開口に排出弁を備えることを、予定することができる。その際、フィルタ要素が装入されている場合にはこの排出弁は閉鎖位置にあり、その際に特に支持管に且つ特にその支持管のカラーまたは脚部に、排出弁の調節体のための案内部が備えられている。この案内部は調節体を軸方向へ案内し、その際に調節体に横方向へ作用する力を、この案内部を介してハウジング内へそらすことができる。調節体の案内のために、支持管の代わりに、ハウジングに配置されているその他の適切な部品を使用することもできる。
【００２３】
その際、ハウジング及び／またはフィルタ要素の軸方向公差を調節するために、その調節体が用いられる。そのために、調節体は、軸方向に収容空間の底の上方へ突出していなければならない。更に、収容空間を閉鎖するキャップをねじ固定するときに、フィルタ要素がキャップの回転運動に連行されることを排除することができないので、調節体は横方向に生じる力に対して保護されなければならない。このことは、調節体の対応する案内部によって達成される。
【００２４】
この関連において、ドイツ国特許第４４０８８８８号明細書から、（この明細書では作動体と呼ばれている）調節体をその外周によって排出路の内壁に沿って案内することが、知られている。従って、生じる横方向の力は排出路の内壁へそらされる。排出弁が排出路内に配置されているので、この従来技術では、排出弁に汚染物や不潔物が溜まる可能性があり、このことが調節体と排出弁全体との機能遂行能力を不利に損なう可能性がある。本発明のこの形態によると、特に支持管が調節体を案内するので、排出路の外方で且つ特に収容空間の底の上方でこの案内を行うことができる。これには、収容空間内に存在するオイルによって調節体が洗浄され、そのために汚染物や沈殿物が調節体に妨害的に溜まることがない、という利点がある。そのうえ、横方向の力による変位に対して調節体が確実に保護される。
【特許文献２】ドイツ国特許第４４０８８８８号明細書
【００２５】
その際、支持管の案内部によって調節体の軸方向可動性を制限することを、更に予定することができる。その場合には、軸方向における調節体用の紛失防止具としても、この案内部が役に立つ。
【００２６】
本発明の一つの有利な形態によると、調節体用の案内部が支持管の脚部またはカラーにおける貫通口として形成されている。その際、特に、この貫通口を、内径が調節体の外法寸法よりも僅かに大きい閉鎖円形貫通口とすることができる。
【００２７】
本発明によると、閉鎖位置と開放位置との間を機敏に移動可能な弁体を排出弁が含んでおり、この弁体はフィルタ要素が装入されている場合には第一のばね要素によって閉鎖位置へ押され且つ第一のばね要素に比べて弱く形成されている第二のばね要素によって開放位置へ押され、その際に調節体は軸方向へ移動可能に弁体に配置されており且つフィルタ要素が装入されている場合には第一のばね要素によってフィルタ要素に向かって押されることを、更に予定することができる。この様な配置は特に適切であり且つ確実に作動する、ということが分かった。
【００２８】
本発明の更なる詳細と有利な形態とは下記の記述から読み取るべきであり、下記の記述によって、図面中に示されている実施形態がもっと詳細に記述及び解説される。
【発明を実施するための最良の形態】
【００２９】
図１中に示されているオイルフィルタ配置体１０はハウジング１２を含んでおり、このハウジングはねじ山１６を介してキャップ１４とねじ固定可能である。ハウジング１２及びキャップ１４は収容空間１８を包囲しており、半径方向へオイルが貫流可能なフィルタ要素２０がこの収容空間内に配置されている。その際、フィルタ要素２０はフレーム状の支持管２２に支持されている。オイルが支持管２２を半径方向へ貫流するために、多数の貫通口２４が支持管に備えられている。支持管２２は、収容空間の底２６側に、半径方向外側へ向けられており周囲を取り囲んでいる環状カラー２８を備えている。周囲を取り囲んでいる環状カラーを備える代わりに、本発明では、半径外側方向へ延びている環状カラーの一部または脚部のみを備えることも考えられる。
【００３０】
支持管２２はその下部領域において滞留管３０の周囲を取り囲んでおり、この滞留管は、収容空間の底２６に配置されており、軸方向上方へ延びており、半径方向で閉鎖されている。滞留管３０は濾過済み清浄オイル用のオイル出口３２に通じている。濾過されるべき未処理オイル用のオイル入口３４は、収容空間１８の底２６の領域にある。
【００３１】
オイルフィルタ配置体の運転中は、濾過されるべき未処理オイルは、オイル入口３４からフィルタ要素２０を半径方向へ通りオイル出口３２へ向かって流れる。
【００３２】
支持管２２は、軸方向へ上から収容空間１８内へ装入されており、そこで分離不能に固定されている。そのために、底２６の領域に、この底２６の平面図である図２に見られる通り、固定部３６が備えられている。この様な固定部３６が図３中に拡大断面図で示されている。図３中で、ブリッジ状の固定部３６のうちのフィルタ要素２０側の上面に接合ほぞ３８が配置されており、この接合ほぞは鋲留めされていない状態の溶接中空鋲ほぞとして示されている、ということを明白に認識することができる。その際、ほぞ３８は、そのほぞに対応しており支持管２２のカラー２８に備えられているほぞ穴４０内へ食い込む。支持管２２の分離不能で且つ高耐久性の固定のために、接合ほぞは熱鋲留めによって塑性変形されている。その際、支持管２２及びハウジング１２は合成物質で製造されている。熱鋲留めの代わりに、ほぞが雌ねじまたは雄ねじを備えることを予定することもできるので、ボルトまたはナットを介してカラー２８をハウジングにねじ固定することができる。フィルタ要素２０が装入されていなければ、接合ほぞ３８は軸方向上方から接近可能である。
【００３３】
特に図３から明らかな様に、固定部３６の上面は、カラー２８と平行につまりハウジング１２の中心長軸４１に対して垂直に延びている。これによって、固定部３６とカラー２８との間に最適な設置面が結果として生じている。支持管２２を挿入する際には、なるべくカラー２８が固定部に密着するまで、この支持管を滞留管３０上へ嵌め込むことができる。
【００３４】
図１中に示されている様に、ハウジング１２の底２６に排出開口４２が備えられており、この排出開口内に排出弁４４が配置されている。フィルタ要素２０が装入されていれば、排出弁４４は閉鎖位置にある。
【００３５】
図４の拡大図から、閉鎖位置と開放位置との間を機敏に移動可能な弁体４６を排出弁４４が備えており、この弁体に環状の封止要素４８が配置されている、ということが明らかである。軸方向へ延びている案内ほぞ５０を弁体４６が備えており、この案内ほぞは排出開口４２の案内部５２と協働する。その際、例えば横断面で十字リブ状に案内ほぞ５０を形成することができるので、オイルが案内ほぞに沿って排出開口４２内へつまり排出路内へ流れることができる。
【００３６】
第一のばね要素５４を介して、弁体４６が閉鎖位置へ押される。第一のばね要素５４よりも弱く形成されている第二のばね要素５６を介して、弁体４６が開放位置へ押される。ばね要素５４とフィルタ要素２０との間に調節体５８が備えられており、この調節体は軸方向へ移動可能に弁体４６に配置されている。この際、ハウジング及び／またはフィルタ要素の軸方向公差を調節するために、この調節体が用いられている。
【００３７】
フィルタ要素を装入する際には、調節体５８と強い方のばね要素５４とを介して、弁体４６が閉鎖方向へ押される。フィルタ要素２０を取り出す際には、調節体５８のストッパ６０に調節体がぶつかるまで、まずこの調節体５８が軸方向上方へ動く。次に、ばね要素５６のばね力のために、弁体４６が軸方向上方へ動き、これによって排出開口４２が開放され、ハウジング１２内に存在するオイルが排出開口４２を経て流出することができる。その際、調節体５８が鳥籠状に形成されているので、この調節体をオイルが貫流することができる。
【００３８】
図４から明らかな様に、カラー２８は調節体５８の領域に貫通口の形態の案内部６２を備えている。その際、案内部６２は、調節体５８を軸方向へ案内し、且つ横方向への調節体の変位を防止する。そのうえ、調節体５８の表面で半径方向外側へ向けられている支持部６４用のストッパとして案内部６２が用いられ、この支持部の半径方向外法寸法は案内部６２の直径よりも僅かに大きい。これによって、調節体５８が紛失防止状態でハウジング１２内に配置されている。従って、フィルタ要素を取り出す際に、調節体５８が軸方向上方へ取り出されることはない。
【００３９】
従って、支持管２２の分離不能な固定によって、排出弁４４も、高耐久性で且つ紛失防止状態で排出開口４２内に配置されている。
【００４０】
図１から明らかな様に、底２６とは反対側の支持管２２の自由端に超過圧力迂回弁６６が配置されている。この超過圧力弁６６は限界圧力の超過時に開くので、未濾過オイルが収容空間１８から滞留管３０を経てオイル出口３２に達することができる。
【００４１】
図５〜７には本発明による第二のオイルフィルタ配置体１００が示されており、その際に、図１〜４によるオイルフィルタ配置体１０に対応する部品は対応する関連符号を与えられている。
【００４２】
オイルフィルタ配置体１００においては、図６、７から明らかな様に、支持管１０２に、半径外側方向へ突出している脚部１０４の形態の固定部が備えられている。この脚部にはバヨネット形のほぞ穴１０６が備えられており、このほぞ穴は、支持管１０２の中心長軸の周囲に延びている環状切片部１０８と、この環状切片部１０８に隣接している円環部１１０とを、備えている。
【００４３】
特に図６から明らかな様に、収容空間１８の底２６に接合ほぞ１１２が備えられており、この接合ほぞはその自由端にマッシュルーム状の拡大部１１４を備えている。その際、マッシュルーム状の拡大部１１４の直径は、円環部１１０の内法断面よりも少なくとも僅かに小さく、各環状切片部１０８の幅よりも大きい。これによって、バヨネット式に収容空間１８内に留まる様に支持管１０２を配置することができる。
【００４４】
接合ほぞ１１２は例えば合成物質製とすることができ、その際に、接合ほぞ１１２は、まず円筒形に形成することができ、支持管１０２を装入した後に例えば熱鋲留めによってマッシュルーム状の拡大部１１４を得ることができる。本発明によると、接合ほぞ１１２を例えばハウジング内へねじ込み可能で対応するねじ頭を備えるボルトによって実現することができる、ということを同様に予定することができる。
【００４５】
図５〜７によるオイルフィルタ配置体１００においては、収容空間１８の底２６から拡大部１１４の下縁までの距離が、軸方向における二つの脚部１０４の厚さｄの約２〜１０倍で特に約５倍である。これによって、軸方向における支持管１０２の限定された動きが可能にされる。そのために、支持管１０２が、収容空間１８が閉鎖されている場合に占められる運転位置から収容空間１８が開放されている場合つまりキャップ１４が取り出されている場合に占めることのできる排出位置へ、軸方向に移動可能である。運転位置から排出位置へ支持管１０２を自動的に移動させるためにばね要素１１６が備えられており、このばね要素は、一方では収容空間１８の底２６に、他方では支持管１０２につまり脚部１０４のうちの底２６側に、支持されている。
【００４６】
図５、６から明らかな様に、支持管１０２は、フィルタ要素２０とは反対側つまりキャップ１４とは反対側で、オイル出口３２内へ嵌まり込んでいる。支持管１０２のうちの図５、６中に示されている運転位置で完全にオイル出口３２内に配置されている部分で、支持管１０２が排出孔１１８を備えている。脚部１０４側で、周囲を取り囲んでいる封止環状パッキン１２０が排出孔１１８に隣接している。図中に示されている運転位置では、収容空間１８からオイル出口３２への移行領域において、封止環状パッキン１２０に対応するハウジング部分に対して、封止環状パッキン１２０が封止効果を有する。運転位置では、フィルタ要素２０を半径方向へ貫流した濾過済み清浄オイルが、オイル出口３２を経てオイルフィルタ配置体１００から使用者へ流れる。
【００４７】
ハウジングキャップ１４を開くとき、脚部１０４が拡大部１１４の下面に密着するまで、支持管１０２がばね要素１１６のために軸方向上方へ動かされる。その場合、この排出位置では、収容空間１２内に存在するオイルが排出孔１１８を経てオイル出口内へ流れ込むことができる様に、排出孔１１８が収容空間１８に対応する。
【００４８】
支持管１０２は、フィルタ要素２０と協働する領域に、図７中に概略的に示されている貫通口２４を備えている。
【図面の簡単な説明】
【００４９】
【図１】本発明による第一のオイルフィルタ配置体の縦断面図である。
【図２】図１中の矢印ＩＩによる平面図である。
【図３】図２中の線ＩＩＩに沿う部分断面図である。
【図４】図１中の領域ＩＶの拡大図である。
【図５】本発明による第二のオイルフィルタ配置体の縦断面図である。
【図６】フィルタ要素のない別の視点からの図５に類似の断面図である。
【図７】図５、６中に示されている支持管の部品図である。
【図１】
2009506246.tif 000003
【図２】
2009506246.tif 000004
【図３】
2009506246.tif 000005
【図４】
2009506246.tif 000006
【図５】
2009506246.tif 000007
【図６】
2009506246.tif 000008
【図７】
2009506246.tif 000009
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
ハウジング（１２）内へ装入可能であり半径方向へオイルが貫流可能なフィルタ要素（２０）用の収容空間（１８）を備える前記ハウジングと、前記収容空間（１８）内に装入されており、前記フィルタ要素（２０）が装入されている場合にはこのフィルタ要素（２０）を支持し、このフィルタ要素（２０）の交換時に前記ハウジング（１２）内に留まる様にこのハウジング（１２）に固定されている支持管（２２、１０２）とを備える、オイルフィルタ配置体であって、前記収容空間（１８）及び／または前記支持管（２２、１０２）の中心長軸（４１）の周囲に配置されている接合ほぞ（３８、１１２）を備える固定部（３６）を前記収容空間の底（２６）の領域に前記ハウジング（１２）が備えることと、前記接合ほぞ（３８、１１２）に対応するほぞ穴（４０、１０６）を備えており、半径外側方向へ突出している脚部としてまたは半径外側方向へ突出しており且つ少なくとも一部で周囲を取り囲んでいるカラーとして形成されている、固定領域（２８）を前記支持管（２２、１０２）のうちの前記収容空間（１８）の前記底（２６）側が備えることを特徴とする、オイルフィルタ配置体（１０、１００）。
【請求項２】
前記支持管（２２、１０２）が、前記ハウジング（１２）に、ラッチ固定されており、ねじ固定されており、並びに／またはバヨネット式に及び／もしくは分離不能に固定されていることを特徴とする、請求項１に記載のオイルフィルタ配置体（１０、１００）。
【請求項３】
前記接合ほぞ（３８、１１２）が鋲ほぞとして特に熱鋲ほぞとして形成されていることを特徴とする、請求項１または２に記載のオイルフィルタ配置体（１０、１００）。
【請求項４】
前記接合ほぞ（３８、１１２）がラッチほぞとして形成されていることを特徴とする、請求項１または２に記載のオイルフィルタ配置体（１０、１００）。
【請求項５】
前記固定領域を捕える固定ボルト用のねじ山を前記固定部が備えていることを特徴とする、請求項１または２に記載のオイルフィルタ配置体（１０、１００）。
【請求項６】
固定ボルト用の雌ねじまたは雄ねじを前記接合ほぞが備えていることを特徴とする、請求項５に記載のオイルフィルタ配置体（１０、１００）。
【請求項７】
軸方向及び／または半径方向へ延びるブリッジとして前記ハウジングの前記固定部（３６）が形成されており、前記ブリッジのうちの前記フィルタ要素側の上面に夫々少なくとも一つの接合ほぞ（３８、１１２）が配置されていることを特徴とする、請求項１〜６の何れか一項に記載のオイルフィルタ配置体（１０、１００）。
【請求項８】
前記収容空間（１８）が閉鎖されている場合に占められる運転位置から前記収容空間（１８）が開放されている場合に占めることのできる排出位置へ軸方向に前記支持管（１０２）が移動可能であり、その際に前記排出位置ではオイルが前記収容空間（１８）から流出することができる様に、前記接合ほぞ（１１２）が前記固定領域（１０４）内へ嵌まり込むことを特徴とする、請求項１に記載のオイルフィルタ配置体（１００）。
【請求項９】
前記接合ほぞ（１１２）がその自由端の領域にマッシュルーム状の拡大部（１１４）を備えており、その際に前記収容空間（１８）の前記底（２６）から前記拡大部（１１４）の下縁までの距離が軸方向における前記固定領域（１０４）の厚さよりも少なくとも僅かに大きいことを特徴とする、請求項８に記載のオイルフィルタ配置体（１００）。
【請求項１０】
前記収容空間（１８）の前記底（２６）と前記固定領域との間に、前記支持管（１０２）を前記底から離れる方向へ押すばね要素（１１６）が備えられていることを特徴とする、請求項８または９に記載のオイルフィルタ配置体（１００）。
【請求項１１】
運転位置では、未濾過オイルが前記支持管（１０２）を経て前記オイル出口（３２）内へ流れ込むことができず、且つ排出位置では、前記支持管（１０２）に備えられている排出孔（１１８）が前記収容空間（１８）に対応すると共に特に未濾過オイルが前記排出孔（１１８）を経て前記オイル出口（３２）内へ流れ込むことができる様に、前記支持管（１０２）が前記フィルタ要素（２０）とは反対側でオイル出口（３２）内へ嵌まり込んでいることを特徴とする、請求項８、９または１０に記載のオイルフィルタ配置体（１００）。
【請求項１２】
運転位置では、前記フィルタ要素（２０）を貫流した濾過済み清浄オイルが、前記オイル出口（３２）を経て前記収容空間から流出することを特徴とする、請求項８に記載のオイルフィルタ配置体（１００）。
【請求項１３】
前記収容空間（１８）の前記底（２６）の領域で、半径方向では閉鎖されており前記支持管（２２）に対して半径方向に距離を置かれている滞留管（３０）の周囲を前記支持管（２２）が取り囲んでいることを特徴とする、請求項１〜１２の何れか一項に記載のオイルフィルタ配置体（１０）。
【手続補正２】
【補正対象書類名】明細書
【補正対象項目名】全文
【補正方法】変更
【補正の内容】
【発明の詳細な説明】
【技術分野】
【０００１】
本発明は、ハウジング内へ装入可能であり半径方向へオイルが貫流可能なフィルタ要素用の収容空間を備える上記ハウジングと、フィルタ要素が装入されている場合にはこのフィルタ要素を支持する支持管とを備える、オイルフィルタ配置体に関する。
【背景技術】
【０００２】
この様なオイルフィルタ配置体は、多様なやり方で知られている。従って、例えば、軸方向へ貫流可能な支持管が、収容空間を閉鎖するキャップに配置されている、オイルフィルタ配置体が知られている。この様な実施形態は、例えばドイツ国特許出願公開第１０２５９８８４号明細書から既に知られている。
【特許文献１】ドイツ国特許出願公開第１０２５９８８４号明細書
【０００３】
キャップに支持管が配置されていると比較的手間がかかり、これは、その場合にはフィルタ要素を交換する際にキャップを支持管ごと取り外さなければならないからである。そのうえ、このフィルタ要素を支持管から取り外さなければならない。
【発明の開示】
【発明が解決しようとする課題】
【０００４】
本発明の根底には、比較的簡易な構造を備えており且つ支持管の確実に作動する配置が保証されているオイルフィルタ配置体を提供するという課題がある。
【課題を解決するための手段】
【０００５】
この課題は、請求項１の特徴を有する最初に記述された種類のオイルフィルタ配置体によって、解決される。支持管が収容空間内に装入されており、フィルタ要素の交換時に支持管がハウジング内に留まる様にこの支持管がハウジングに固定されていることによって、特にオイルフィルタ配置体を製造するときに、非常に大きな利点が得られる。ハウジング自体は公知のやり方に従って製造することができる。特に、ハウジングを合成物質で製造することが考えられる。その際、フレーム状に形成されている支持管を、ハウジングとは別個に製造し、ハウジング内へ装入してそこに固定することができる。これによって、支持管の確実な配置が保証され、それと同時にフィルタ要素を支持管上へ伸ばすかまたは支持管から取り外すことができる。フィルタ要素を交換する際には支持管がハウジング内に留まり、これによって総ての取り扱いが簡易化される。
【０００６】
本発明によると、ハウジングが収容空間の底の領域に固定部を備えることと、支持管のうちの収容空間の底側が固定部に対応する固定領域を備えることとが、予定されている。特に支持管の中心長軸の周囲に配置することのできる固定部を収容空間の底の領域に備えることによって、フィルタ要素と支持管との半径方向貫流可能性を損なうことなく支持管の確実な配置を達成することができる。
【０００７】
これらの固定部または固定領域に、接合ほぞまたはこの接合ほぞに対応するほぞ穴を備えることが、更に予定されている。これらの接合ほぞとそれに対応するほぞ穴とによって、ハウジングに対する支持管の高耐久性で且つ分離不能な配置が簡易なやり方で達成される。
【０００８】
その際、収容空間または支持管の中心長軸の周囲における収容空間の底に、接合ほぞが分散配置されている。特に、付属しており接合ほぞに対応している支持管側のほぞ穴内へ嵌まり込む二本、三本または四本の接合ほぞを備えることができる。支持管または収容空間の中心長軸の回りに接合ほぞまたはほぞ穴を配置すれば、支持管内に存在するオイルが、上記の中心長軸に沿って、この領域に備えられているオイル出口内へ流れることができる、という利点がある。従って、その場合には、ほぞまたはほぞ穴が支持管からのオイルの流出を妨げない。その際、個々の接合ほぞを夫々隣接する接合ほぞと等距離に配置できることが、有利である。
【０００９】
支持管の確実に作動する固定を可能にするために、固定領域が、半径外側方向へ突出している脚部として、または半径外側方向へ突出しており且つ少なくとも一部で周囲を取り囲んでいるカラーとして、形成されている。接合ほぞに対応するほぞ穴が脚部またはカラーに備えられている。脚部またはカラーを備えることによって、支持管に横方向へ作用する力または支持管に装着されているフィルタ要素に作用する力を、ハウジング内へ好都合にそらせることができる。それに加えて、この様な脚部またはブリッジを備えることによって、支持管を収容空間内における組立てのために軸方向に収容空間内へ装入できる、ということを達成することができる。
【００１０】
その際、特に支持管をハウジングに、ラッチ固定し、ねじ固定し、並びに／またはバヨネット式に及び／もしくは分離不能に固定することができる。ラッチ固定の場合には、対応するラッチ固定手段を備えていなければならない。ねじ固定の場合には、対応するねじ山及び／またはボルトを備えていなければならない。バヨネット式固定の場合には、支持管は、まずその長軸に沿って収容空間内へ挿入され、次にその長軸の回りで捩じられて、対応して備えられているべき後隔離部で固定される。
【００１１】
更に、その際、接合ほぞを例えば鋲ほぞとして特に溶接鋲ほぞとして形成することができる。その場合には、支持管を装入した後に、ハウジングとの支持管の分離不能な接合が生じる様に鋲ほぞを鋲留めすることができる。特にその場合には、もしハウジング及び支持管が合成物質製であれば、熱鋲留めによって分離不能な接合を作り出すことが考えられる。
【００１２】
ハウジングへの支持管の分離不能な接合を生じるのではなくてほぞ穴をバヨネット式に形成する様に、接合ほぞを溶接鋲ほぞまたは熱鋲ほぞとして形成することも、考えられる。その場合には、例えば、接合ほぞがほぞ穴内へ嵌まり込む様に、支持管を軸方向に収容空間内へ装入することができる。また別の措置では、接合ほぞの自由端を熱鋲留めすることができる。その場合には、後の時点に支持管を再び収容空間から取り出すのであれば、ほぞ穴のうちで熱鋲の頭の直径よりも大きな内法横断面を備える領域に鋲の頭が達するまで、支持管をその中心長軸の回りで捩じることができる。そうすれば、収容空間から軸方向へ支持管を取り出すことができる。接合ほぞを熱鋲留めする代わりに、頭が拡大部になっているボルトの形状の接合ほぞを使用することもできる。
【００１３】
但し、本発明によると、接合ほぞをラッチほぞとして形成することもできる。ラッチ固定によって、そして特にほぞ穴によるラッチほぞの分離不能な後ラッチ固定によって、本発明によって支持管をハウジングに固定することもできる。
【００１４】
本発明によると、ボルト接合によっても支持管をハウジングに固定することができる。
【００１５】
次に、軸方向及び／または半径方向へ延びるブリッジとしてハウジングの固定部を形成し、ブリッジのうちのフィルタ要素側の上面に夫々少なくとも一つの接合ほぞを配置すれば、本発明の好ましい実施形態が生じる。その際、これらのブリッジは、収容空間の底から軸方向上方へ延びて、支持管用の設置部になっていることが、有利である。従って、支持管を装入する際に、この支持管はブリッジの上面に密着する。鋲ほぞを備えることによって、ブリッジと支持管との間の鋲接合を実現することができる。その際、鋲留めを軸方向上方から行えることが有利である。その際、ブリッジは、半径方向における少なくとも一部で収容空間の底の上方へ延びることができる。これによって、ハウジングの剛性を高めることができる。
【００１６】
本発明のまた別の有利な形態によると、収容空間が閉鎖されている場合に占められる運転位置から収容空間が開放されている場合に占めることのできる排出位置へ軸方向に支持管が移動可能であり、その際に排出位置では特に未濾過オイルが収容空間から流出することができる様に、接合ほぞが接合領域内へ嵌まり込むことを、予定することができる。これによって、フィルタ要素の交換の際に、接合ほぞが、付属固定領域と協働して支持管の取り出しを防止するが、それにも拘らず軸方向における支持管のある程度の可動性を可能にすることが、達成される。従って、支持管を排出位置へ移動させることができ、この排出位置においては、フィルタ要素が収容空間から完全に取り外される前に、収容空間内に存在するオイルが流出可能である。それによって、収容空間を開放した後で且つ支持管を排出位置へ移動させた後に、大きなオイル損失なしにフィルタ要素の取り出しが可能になるまで、収容空間内に存在するオイルが収容空間から流出することを待つことができる。
【００１７】
そのために、この接合ほぞがその自由端の領域にマッシュルーム状の例えば熱鋲の頭状の拡大部を備えることができ、その際に収容空間の底から拡大部の下縁までの距離が軸方向における固定領域の厚さよりも少なくとも僅かに大きい。これによって、ある程度のあそびが達成され、このあそびが軸方向における支持管の限定された移動を可能にする。
【００１８】
収容空間の底と固定領域との間に、支持管を底から離れる方向へ押すばね要素を備えられることが、有利である。これによって、収容空間を開放する際に、例えば収容空間を閉鎖しているキャップを捩じって取り外す際に、底から離れる方向への支持管の自動的な移動が達成される。
【００１９】
その際、運転位置では、未濾過オイルが支持管を経てオイル出口内へ流れ込むことができず、且つ排出位置では、支持管に備えられている排出孔が収容空間に対応すると共に未濾過オイルが排出孔を経てオイル出口内へ流れ込むことができる様に、支持管がフィルタ要素とは反対側でオイル出口内へ嵌まり込んでいる。従って、運転位置では排出孔が収容空間に対応しておらず、支持管が排出位置へ移動して初めて、オイルが排出孔を経て流出することができる様に排出孔が収容空間の領域に達する。収容空間内の排出位置にある排出孔は収容空間の底の領域に対応するので、収容空間内に存在するオイルの大部分が排出孔とオイル出口とを経て流出可能であることが保証される。
【００２０】
運転位置では、フィルタ要素を貫流して濾過された清浄オイルがオイル出口を経てオイルフィルタ配置体から流出することが、有利である。従って、オイル出口は二つの機能を有しており、運転位置では清浄オイルがオイル出口を経てオイルフィルタ配置体から流れ、排出位置では特に濾過されていない未処理オイルがオイル出口を経てオイルフィルタ配置体から流れる。本発明の一つの有利な実施形態では、収容空間の底の領域で、半径方向では閉鎖されており支持管に対して半径方向に距離を置かれている滞留管の周囲を支持管が取り囲むことを、予定することができる。支持管を装入する際に、この支持管を例えば滞留管に装着することができる。その場合には、滞留管は嵌合支援として用いられる。
【００２１】
本発明の一つの発展によると、支持管のうちで収容空間の底とは反対側の自由部に超過圧力迂回弁を配置することを、更に予定することができる。この様な弁は、例えばフィルタ要素が汚染で塞がったために限界圧力を超えたときに開く。
【００２２】
本発明によると、収容空間の底に排出開口を備え且つこの排出開口に排出弁を備えることを、予定することができる。その際、フィルタ要素が装入されている場合にはこの排出弁は閉鎖位置にあり、その際に特に支持管に且つ特にその支持管のカラーまたは脚部に、排出弁の調節体のための案内部が備えられている。この案内部は調節体を軸方向へ案内し、その際に調節体に横方向へ作用する力を、この案内部を介してハウジング内へそらすことができる。調節体の案内のために、支持管の代わりに、ハウジングに配置されているその他の適切な部品を使用することもできる。
【００２３】
その際、ハウジング及び／またはフィルタ要素の軸方向公差を調節するために、その調節体が用いられる。そのために、調節体は、軸方向に収容空間の底の上方へ突出していなければならない。更に、収容空間を閉鎖するキャップをねじ固定するときに、フィルタ要素がキャップの回転運動に連行されることを排除することができないので、調節体は横方向に生じる力に対して保護されなければならない。このことは、調節体の対応する案内部によって達成される。
【００２４】
この関連において、ドイツ国特許第４４０８８８８号明細書から、（この明細書では作動体と呼ばれている）調節体をその外周によって排出路の内壁に沿って案内することが、知られている。従って、生じる横方向の力は排出路の内壁へそらされる。排出弁が排出路内に配置されているので、この従来技術では、排出弁に汚染物や不潔物が溜まる可能性があり、このことが調節体と排出弁全体との機能遂行能力を不利に損なう可能性がある。本発明のこの形態によると、特に支持管が調節体を案内するので、排出路の外方で且つ特に収容空間の底の上方でこの案内を行うことができる。これには、収容空間内に存在するオイルによって調節体が洗浄され、そのために汚染物や沈殿物が調節体に妨害的に溜まることがない、という利点がある。そのうえ、横方向の力による変位に対して調節体が確実に保護される。
【特許文献２】ドイツ国特許第４４０８８８８号明細書
【００２５】
その際、支持管の案内部によって調節体の軸方向可動性を制限することを、更に予定することができる。その場合には、軸方向における調節体用の紛失防止具としても、この案内部が役に立つ。
【００２６】
本発明の一つの有利な形態によると、調節体用の案内部が支持管の脚部またはカラーにおける貫通口として形成されている。その際、特に、この貫通口を、内径が調節体の外法寸法よりも僅かに大きい閉鎖円形貫通口とすることができる。
【００２７】
本発明によると、閉鎖位置と開放位置との間を機敏に移動可能な弁体を排出弁が含んでおり、この弁体はフィルタ要素が装入されている場合には第一のばね要素によって閉鎖位置へ押され且つ第一のばね要素に比べて弱く形成されている第二のばね要素によって開放位置へ押され、その際に調節体は軸方向へ移動可能に弁体に配置されており且つフィルタ要素が装入されている場合には第一のばね要素によってフィルタ要素に向かって押されることを、更に予定することができる。この様な配置は特に適切であり且つ確実に作動する、ということが分かった。
【００２８】
本発明の更なる詳細と有利な形態とは下記の記述から読み取るべきであり、下記の記述によって、図面中に示されている実施形態がもっと詳細に記述及び解説される。
【発明を実施するための最良の形態】
【００２９】
図１中に示されているオイルフィルタ配置体１０はハウジング１２を含んでおり、このハウジングはねじ山１６を介してキャップ１４とねじ固定可能である。ハウジング１２及びキャップ１４は収容空間１８を包囲しており、半径方向へオイルが貫流可能なフィルタ要素２０がこの収容空間内に配置されている。その際、フィルタ要素２０はフレーム状の支持管２２に支持されている。オイルが支持管２２を半径方向へ貫流するために、多数の貫通口２４が支持管に備えられている。支持管２２は、収容空間の底２６側に、半径方向外側へ向けられており周囲を取り囲んでいる環状カラー２８を備えている。周囲を取り囲んでいる環状カラーを備える代わりに、本発明では、半径外側方向へ延びている環状カラーの一部または脚部のみを備えることも考えられる。
【００３０】
支持管２２はその下部領域において滞留管３０の周囲を取り囲んでおり、この滞留管は、収容空間の底２６に配置されており、軸方向上方へ延びており、半径方向で閉鎖されている。滞留管３０は濾過済み清浄オイル用のオイル出口３２に通じている。濾過されるべき未処理オイル用のオイル入口３４は、収容空間１８の底２６の領域にある。
【００３１】
オイルフィルタ配置体の運転中は、濾過されるべき未処理オイルは、オイル入口３４からフィルタ要素２０を半径方向へ通りオイル出口３２へ向かって流れる。
【００３２】
支持管２２は、軸方向へ上から収容空間１８内へ装入されており、そこで分離不能に固定されている。そのために、底２６の領域に、この底２６の平面図である図２に見られる通り、固定部３６が備えられている。この様な固定部３６が図３中に拡大断面図で示されている。図３中で、ブリッジ状の固定部３６のうちのフィルタ要素２０側の上面に接合ほぞ３８が配置されており、この接合ほぞは鋲留めされていない状態の溶接中空鋲ほぞとして示されている、ということを明白に認識することができる。その際、ほぞ３８は、そのほぞに対応しており支持管２２のカラー２８に備えられているほぞ穴４０内へ食い込む。支持管２２の分離不能で且つ高耐久性の固定のために、接合ほぞは熱鋲留めによって塑性変形されている。その際、支持管２２及びハウジング１２は合成物質で製造されている。熱鋲留めの代わりに、ほぞが雌ねじまたは雄ねじを備えることを予定することもできるので、ボルトまたはナットを介してカラー２８をハウジングにねじ固定することができる。フィルタ要素２０が装入されていなければ、接合ほぞ３８は軸方向上方から接近可能である。
【００３３】
特に図３から明らかな様に、固定部３６の上面は、カラー２８と平行につまりハウジング１２の中心長軸４１に対して垂直に延びている。これによって、固定部３６とカラー２８との間に最適な設置面が結果として生じている。支持管２２を挿入する際には、なるべくカラー２８が固定部に密着するまで、この支持管を滞留管３０上へ嵌め込むことができる。
【００３４】
図１中に示されている様に、ハウジング１２の底２６に排出開口４２が備えられており、この排出開口内に排出弁４４が配置されている。フィルタ要素２０が装入されていれば、排出弁４４は閉鎖位置にある。
【００３５】
図４の拡大図から、閉鎖位置と開放位置との間を機敏に移動可能な弁体４６を排出弁４４が備えており、この弁体に環状の封止要素４８が配置されている、ということが明らかである。軸方向へ延びている案内ほぞ５０を弁体４６が備えており、この案内ほぞは排出開口４２の案内部５２と協働する。その際、例えば横断面で十字リブ状に案内ほぞ５０を形成することができるので、オイルが案内ほぞに沿って排出開口４２内へつまり排出路内へ流れることができる。
【００３６】
第一のばね要素５４を介して、弁体４６が閉鎖位置へ押される。第一のばね要素５４よりも弱く形成されている第二のばね要素５６を介して、弁体４６が開放位置へ押される。ばね要素５４とフィルタ要素２０との間に調節体５８が備えられており、この調節体は軸方向へ移動可能に弁体４６に配置されている。この際、ハウジング及び／またはフィルタ要素の軸方向公差を調節するために、この調節体が用いられている。
【００３７】
フィルタ要素を装入する際には、調節体５８と強い方のばね要素５４とを介して、弁体４６が閉鎖方向へ押される。フィルタ要素２０を取り出す際には、調節体５８のストッパ６０に調節体がぶつかるまで、まずこの調節体５８が軸方向上方へ動く。次に、ばね要素５６のばね力のために、弁体４６が軸方向上方へ動き、これによって排出開口４２が開放され、ハウジング１２内に存在するオイルが排出開口４２を経て流出することができる。その際、調節体５８が鳥籠状に形成されているので、この調節体をオイルが貫流することができる。
【００３８】
図４から明らかな様に、カラー２８は調節体５８の領域に貫通口の形態の案内部６２を備えている。その際、案内部６２は、調節体５８を軸方向へ案内し、且つ横方向への調節体の変位を防止する。そのうえ、調節体５８の表面で半径方向外側へ向けられている支持部６４用のストッパとして案内部６２が用いられ、この支持部の半径方向外法寸法は案内部６２の直径よりも僅かに大きい。これによって、調節体５８が紛失防止状態でハウジング１２内に配置されている。従って、フィルタ要素を取り出す際に、調節体５８が軸方向上方へ取り出されることはない。
【００３９】
従って、支持管２２の分離不能な固定によって、排出弁４４も、高耐久性で且つ紛失防止状態で排出開口４２内に配置されている。
【００４０】
図１から明らかな様に、底２６とは反対側の支持管２２の自由端に超過圧力迂回弁６６が配置されている。この超過圧力弁６６は限界圧力の超過時に開くので、未濾過オイルが収容空間１８から滞留管３０を経てオイル出口３２に達することができる。
【００４１】
図５〜７には本発明による第二のオイルフィルタ配置体１００が示されており、その際に、図１〜４によるオイルフィルタ配置体１０に対応する部品は対応する関連符号を与えられている。
【００４２】
オイルフィルタ配置体１００においては、図６、７から明らかな様に、支持管１０２に、半径外側方向へ突出している脚部１０４の形態の固定部が備えられている。この脚部にはバヨネット形のほぞ穴１０６が備えられており、このほぞ穴は、支持管１０２の中心長軸の周囲に延びている環状切片部１０８と、この環状切片部１０８に隣接している円環部１１０とを、備えている。
【００４３】
特に図６から明らかな様に、収容空間１８の底２６に接合ほぞ１１２が備えられており、この接合ほぞはその自由端にマッシュルーム状の拡大部１１４を備えている。その際、マッシュルーム状の拡大部１１４の直径は、円環部１１０の内法断面よりも少なくとも僅かに小さく、各環状切片部１０８の幅よりも大きい。これによって、バヨネット式に収容空間１８内に留まる様に支持管１０２を配置することができる。
【００４４】
接合ほぞ１１２は例えば合成物質製とすることができ、その際に、接合ほぞ１１２は、まず円筒形に形成することができ、支持管１０２を装入した後に例えば熱鋲留めによってマッシュルーム状の拡大部１１４を得ることができる。本発明によると、接合ほぞ１１２を例えばハウジング内へねじ込み可能で対応するねじ頭を備えるボルトによって実現することができる、ということを同様に予定することができる。
【００４５】
図５〜７によるオイルフィルタ配置体１００においては、収容空間１８の底２６から拡大部１１４の下縁までの距離が、軸方向における二つの脚部１０４の厚さｄの約２〜１０倍で特に約５倍である。これによって、軸方向における支持管１０２の限定された動きが可能にされる。そのために、支持管１０２が、収容空間１８が閉鎖されている場合に占められる運転位置から収容空間１８が開放されている場合つまりキャップ１４が取り出されている場合に占めることのできる排出位置へ、軸方向に移動可能である。運転位置から排出位置へ支持管１０２を自動的に移動させるためにばね要素１１６が備えられており、このばね要素は、一方では収容空間１８の底２６に、他方では支持管１０２につまり脚部１０４のうちの底２６側に、支持されている。
【００４６】
図５、６から明らかな様に、支持管１０２は、フィルタ要素２０とは反対側つまりキャップ１４とは反対側で、オイル出口３２内へ嵌まり込んでいる。支持管１０２のうちの図５、６中に示されている運転位置で完全にオイル出口３２内に配置されている部分で、支持管１０２が排出孔１１８を備えている。脚部１０４側で、周囲を取り囲んでいる封止環状パッキン１２０が排出孔１１８に隣接している。図中に示されている運転位置では、収容空間１８からオイル出口３２への移行領域において、封止環状パッキン１２０に対応するハウジング部分に対して、封止環状パッキン１２０が封止効果を有する。運転位置では、フィルタ要素２０を半径方向へ貫流した濾過済み清浄オイルが、オイル出口３２を経てオイルフィルタ配置体１００から使用者へ流れる。
【００４７】
ハウジングキャップ１４を開くとき、脚部１０４が拡大部１１４の下面に密着するまで、支持管１０２がばね要素１１６のために軸方向上方へ動かされる。その場合、この排出位置では、収容空間１２内に存在するオイルが排出孔１１８を経て排出開口４２内へ流れ込むことができる様に、排出孔１１８が収容空間１８に対応する。
【００４８】
支持管１０２は、フィルタ要素２０と協働する領域に、図７中に概略的に示されている貫通口２４を備えている。
【図面の簡単な説明】
【００４９】
【図１】本発明による第一のオイルフィルタ配置体の縦断面図である。
【図２】図１中の矢印ＩＩによる平面図である。
【図３】図２中の線ＩＩＩに沿う部分断面図である。
【図４】図１中の領域ＩＶの拡大図である。
【図５】本発明による第二のオイルフィルタ配置体の縦断面図である。
【図６】フィルタ要素のない別の視点からの図５に類似の断面図である。
【図７】図５、６中に示されている支持管の部品図である。
【国際調査報告】
2009506246.tif 000010
2009506246.tif 000011
2009506246.tif 000012
2009506246.tif 000013
2009506246.tif 000014
2009506246.tif 000015